(57)【特許請求の範囲】
【請求項１】
略円柱乃至略立方体の空間部を有する筐体と、該空間部を略直線方向に回動自在に配設した連結手段を以って連結された複数の回動体と、前記空間部に並設した接触機構収納部とを有し、該接触機構収納部にバネ部材により形成した可動接片と固定接片とを対向して配設し、前記回動体の移動により回動される作動子を設け、該作動子に回動軸を形成するとともに該作動子の一部を前記空間部に突出して配置し、前記回動体が移動して前記作動子を回動することにより、前記可動接片を押圧して前記固定接片と接触せしめることを特徴とする傾斜スイッチ。
【請求項２】
前記固定接片は倒れ込みを定位置に支持するストッパ部により支持されることを特徴とする請求項１記載の傾斜スイッチ。
【発明の詳細な説明】
【０００１】
【発明の属する技術分野】
本発明は、機器の傾きを検知して電力供給を制御するために設けられる傾斜スイッチに関する。
【０００２】
【従来の技術】
従来、遮断機や厨房設備等の開閉駆動部分に取り付けられて電力供給を制御する傾斜スイッチは、転倒検知スイッチと異なり、特定方向の繰り返し開閉耐久が求められ、現在も図１０に示すような水銀スイッチ等が使用されている。
【０００３】
【発明が解決しようとする課題】
水銀を使用した傾斜スイッチは環境の面で大きな問題を抱え、特に厨房設備など食品を扱う機器には不適格であった。
また、繰り返し開閉耐久が求められる場合、従来の転倒検知型傾斜スイッチでは開閉容量や耐久性能に課題があった。
本発明はこうした問題を解決し、耐久性に優れ、環境に配慮した傾斜スイッチを提供する目的で発明されたものである。
【０００４】
【課題を解決するための手段】
本発明は上記の問題点を解決するために、略円柱乃至略立方体の空間部を有する筐体と、該空間部を略直線方向に回動自在に配設した連結手段を以って連結された複数の回動体と、前記空間部に並設した接触機構収納部とを有し、該接触機構収納部にバネ部材により形成した可動接片と固定接片とを対向して配設し、前記回動体の移動により回動される作動子を回動軸を設けて、その一部を前記空間部に突出して配置する。
また、前記固定接片は倒れ込みを定位置に支持するストッパ部により支持し、さらに、前記作動子は前記空間部側面と鈍角を成して前記空間部に突出するように配置する。
【０００５】
【発明の実施の形態】
本発明は、連結手段を以って連結された複数の回動体の移動により回動軸を有する作動子を回動して、対向配設したバネ部材を接触させることにより回動体の自重が滑らかにバネ部材に伝達され安定した接触力を確保することができるので、開閉容量を比較的大きく確保するとともに耐久性能に優れる傾斜スイッチを構成することができる。
【０００６】
【実施例】
以下、本実施例について図面を参照しながら説明する。
図１は本発明の傾斜スイッチの第１実施例を表わす正面断面図（時計方向に傾斜状態）、図２はその分解斜視図、図３はその反時計方向への傾斜状態を表わす断面図である。
【０００７】
これらの図において、筐体を表裏二分割したハウジング１とカバー１８には横長の空間部２と、この空間部２に並列に隔壁４を挟んで接触機構収納部３が穿設され、前記空間部２には連結手段を以って連結された複数の回動体としての球体７が３個収納されるとともに板バネ状の可動接片１２と固定接片１４が片持梁状に保持された状態で接触機構収納部３に対向配設されている。
また、この可動接片１２の略中間部と固定接片１４の先端部にはそれぞれ可動接点１３と固定接点１５が溶接され、比較的大きな開閉容量に対応した接触機構部を形成している。
【０００８】
また、筐体の外部へは個別に設けたファストン端子１６、１７を導出し、可動接片１２と固定接片１４の固定端側の一部をバネ部材の弾性を利用して弾接させているが、それぞれ可動接片部材と固定接片部材を延長して外部端子を兼用することも可能である。
【０００９】
そして、前記空間部２と接触機構収納部３の略中間部には回動軸９を有した作動子８がこの回動軸９を隔壁４に係止した状態で回動自在に配置されている。
この作動子８は、空間部２にその片面１０を鈍角状に突出するとともにもう一方に設けた押圧部１１を可動接片１２に当接してあり、作動子８の回動に合わせて可動接片１２を押圧し、固定接片１４と各接点により接触するように配置されている。
【００１０】
本実施例については前記空間部２に３個の球体７が収納されているが、両側の球体７はそれぞれオン時とオフ時の補助的重りの役割を担っており、必要に応じて球体７を増減して使用条件に合致させることができる。
即ち、開閉容量を大きくするために接触圧力が必要とされる場合は球体７を増やし、信号検出レベルの開閉容量であれば球体７は減らすことができる。
【００１１】
図４は第１実施例の主要部品の構成に基づくモーメント図であり、反時計方向に３０度程傾斜した状態を表わしている。
球体７の自重により発生する力の移動軸方向の分力Ｗは、球体７が空間部２の上壁と作動子８によりくさび状に挟み込まれる状態を呈するため、大きな押圧力Ｎのベクトルが作動子８に加えられ、作動子８から可動接片１２の先端部にＦの押下モーメントが伝達される。そして、可動接片１２の作用点と力点の位置関係から接触力Ｐは、Ｐ≒Ｆ（Ｌ１／Ｌ２）が成立するため、球体７の自重を遥かに凌ぐ接触力Ｐにより、常に安定した接触を維持して大きな開閉容量も確保することができるという優れた特徴を有する。
【００１２】
また、球体７の移動スペースである空間部２と並列に接触機構収納部３を配設したので、傾斜スイッチの外形を大きくしなくとも可動接片の梁を長くすることが可能であり、モーメントを有効に利用することができる。
【００１３】
さらに、作動子８に回動軸９を設けたので、球体７による作動子８への回動モーメントを減衰することなく可動接片１２へ伝達するとともに復帰時の作動子８の戻り動作を滑らかにすることができる。
【００１４】
さらに、球体７を回転自在に連結することにより、全ての球体７の移動方向の分力を加算して作動子に伝達することができるので、球体７を連結していない場合に比べ、傾斜スイッチ本体をさらにコンパクト化できるとともに、確実な接点切替えと接触力の向上を図ることができる。
【００１５】
図５は本発明の傾斜スイッチの第２実施例の時計方向への傾斜状態を表わす正面断面図であり、図６はその反時計方向への傾斜状態を表わす正面断面図、さらに図７はその平面図である。
前記第１実施例に比べ、外部結線がコネクタ４０により接続される点、さらには固定接片３４と可動接片３２の配列形態が異なっている。
【００１６】
具体的には接触機構収納部２３に並列に配列した固定接片３４と可動接片３２とを接触部近傍のみで交差対向させるとともに固定接片３４の倒れ込みをベース２１に突設したストッパ３９が定位置で支持している構造となっている。なお、固定接点部は固定接片３４の先端部を折り曲げ、鋭利に形成している。
【００１７】
このように構成することにより、接触機構収納部２３を省スペース化して傾斜スイッチをさらにコンパクトにすることができるとともに固定接片３４の曲げ寸法のバラツキを吸収して精度の良い傾斜スイッチを提供することができるという特徴を有している。
本第２実施例は微小定格用の傾斜スイッチとして構成しているが、接触後の接点ワイピング量も十分に確保することができるため、高い接触信頼性を維持することができる。
【００１８】
図８は本発明の傾斜スイッチの回動体４７の応用展開例である。球体に代えて円柱体を使用しているが、その他樽状の回動体を使用したり、円柱体に案内用の溝を形成し、空間部に突設したレールに沿わせて回動させる（何れも図示せず）など、様々な展開が考えられる。
また、図９は本発明の傾斜スイッチの第３実施例を表わす要部斜視図である。回動体８７に回転軸８９を形成して連結板９０で回動自在に連結している。
【００１９】
【発明の効果】
以上、詳細に説明したように、本発明によれば、次のような効果を奏することができる。
（１）空間部を有する筐体と、該空間部を略直線方向に回動自在に配設した連結手段を以って連結された複数の回動体と、前記空間部に並設した接触機構収納部とを有し、該接触機構収納部にバネ部材により形成した可動接片と固定接片とを対向して配設し、前記回動体の移動により回動される作動子を回転軸を設けて配置し、該作動子の一部を前記空間部に突出させ、前記作動子の回動により前記可動接片を押圧して前記固定接片と接触する構成にしたので、回動体の自重を遥かに凌ぐ接触力を確保でき、常に安定した接触を維持して大きな開閉容量も確保することができる。
（２）空間部に並設した接触機構収納部に、バネ部材により形成した可動接片と固定接片とを対向して配設したので、バネ部材の長さを効率良く配設することが可能となり、傾斜スイッチの外形を大きくしなくてもモーメントを有効に利用することができ、接触信頼性の高い傾斜スイッチを構成することができる。
（３）連結手段を以って連結された複数の回動体の移動により回動される作動子を回動軸を設けて配置し、該作動子の一部を前記空間部に突出させ、前記作動子の回動により前記可動接片を押圧して前記固定接片と接触する構成にしたので、回動体による作動子への回動モーメントを減衰することなく可動接片へ伝達するとともに復帰時の作動子の戻り動作を滑らかにすることができる。
（４）固定接片が倒れ込みを一定位置に支持するストッパ部により当接されるように構成したので、固定接片の曲げ寸法のバラツキを吸収して精度の良い傾斜スイッチを提供することができる。
（５）連結手段を以って回動自在に連結された複数の回動体から成る回動体を配設したので、全ての回動体の移動方向の分力を加算して作動子に伝達することができるので、回動体を連結していない場合に比べ、傾斜スイッチ本体をさらにコンパクト化できるとともに、確実な接点切替えと接触力の向上を図ることができる。
【図面の簡単な説明】
【図１】  本発明の傾斜スイッチの第１実施例を表わす正面断面図（時計方向に傾斜状態）である。
【図２】  本発明の傾斜スイッチの第１実施例を表わす分解斜視図である。
【図３】  本発明の傾斜スイッチの第１実施例を表わす正面断面図（反時計方向に傾斜状態）である。
【図４】  本発明の傾斜スイッチの第１実施例の主要部品の構成に基づくモーメント図を表わす断面図
【図５】  本発明の傾斜スイッチの第２実施例を表わす正面断面図（時計方向に傾斜状態）である。
【図６】  本発明の傾斜スイッチの第２実施例を表わす正面断面図（反時計方向に傾斜状態）である。
【図７】  本発明の傾斜スイッチの第２実施例を表わす平面図である。
【図８】  本発明の傾斜スイッチの回動体の応用展開例である。
【図９】  本発明の傾斜スイッチの第３実施例を表わす要部斜視図である。
【図１０】  従来の水銀スイッチを表わす正面断面図である。
【符号の説明】
１、４１    ハウジング
２、２２    空間部
３、２３    接触機構収納部
４    隔壁
５、２５    取付穴
６    回動軸受け部
７、２７    球体
８、２８、４８    作動子
９、２９    回動軸
１０、３０    片面
１１、３１    押圧部
１２、３２    可動接片
１３    可動接点
１４、３４    固定接片
１５、３５    固定接点
１６、１７    ファストン端子
１８、３８    カバー
２１    ベース
３６    コネクタ端子
３９    ストッパ
４０    コネクタ
４７、８７    回動体
８９    回転軸
９０    連結板
【図１】
0004194060.tif 000002
【図２】
0004194060.tif 000003
【図３】
0004194060.tif 000004
【図４】
0004194060.tif 000005
【図５】
0004194060.tif 000006
【図６】
0004194060.tif 000007
【図７】
0004194060.tif 000008
【図８】
0004194060.tif 000009
【図９】
0004194060.tif 000010
【図１０】
0004194060.tif 000011